(57)【特許請求の範囲】
【請求項１】
水洗便器からの汚水を浄化槽で浄化し、その処理水を脱色槽でオゾン曝気により脱色して、水洗便器に洗浄水として循環させる循環式水洗トイレにおいて、
前記脱色槽で脱色された処理水を水洗便器の洗浄水として循環させる循環ポンプの作動時間に基づいてオゾン曝気時間を制御することを特徴とする循環式水洗トイレ。
【請求項２】
前記循環ポンプの作動により脱色槽内におけるオゾン曝気を開始し、循環ポンプの停止後、循環ポンプの累積作動時間に一定の係数を乗じた時間が経過したらオゾン曝気を停止することを特徴とする請求項１に記載の循環式水洗トイレ。
【請求項３】
前記循環ポンプの累積作動時間が予め設定したリミット値を越えた場合は、そのリミット値を循環ポンプの累積作動時間とみなすことを特徴とする請求項２に記載の循環式水洗トイレ。
【請求項４】
前記循環ポンプの作動によりその作動時間をカウントアップし、循環ポンプの停止後、    前記係数に相当するオゾン曝気時間経過毎に前記作動時間をカウントダウンして、前記作動時間が０になった時点でオゾン曝気を停止することを特徴とする請求項２又は請求項３に記載の循環式水洗トイレ。
【発明の詳細な説明】
【０００１】
【発明の属する技術分野】
本発明は、循環式水洗トイレに関するものである。
【０００２】
【従来の技術】
循環式水洗トイレにおいては、水洗便器からの汚水を浄化槽で浄化し、その処理水を脱色槽でオゾン曝気により脱色して、水洗便器に洗浄水として循環させている。このときのオゾン曝気は、脱色槽内の処理水の色度や、脱色槽から排出される余剰オゾンガスの濃度に応じて制御されるようになっていた。その他、予め水洗トイレの使用を予測して、タイマ等によりオゾンの曝気時間を設定する方法もある。
【０００３】
【発明が解決しようとする課題】
しかしながら、処理水の色度による制御は、色度計が高価なためシステムがコスト高になるとともに、色度計の定期的な清掃等を必要とするためランニングコストが高い。また、余剰オゾンガスの濃度による制御もオゾンガス濃度測定装置が高価である。さらに、タイマ等によりオゾン曝気時間を設定する方法は、水洗トイレが長時間使用されないときでも、オゾン曝気されてしまい無駄が多い。
本発明は、上記問題点を解決するためになされたもので、脱色槽内において効率的にオゾン曝気を行うことができる循環式水洗トイレを提供することを目的とする。
【０００４】
【課題を解決するための手段】
上記の目的を達成するための本発明の循環式水洗トイレは、水洗便器からの汚水を浄化槽で浄化し、その処理水を脱色槽でオゾン曝気により脱色して、水洗便器に洗浄水として循環させる循環式水洗トイレにおいて、前記脱色槽で脱色された処理水を水洗便器の洗浄水として循環させる循環ポンプの作動時間に基づいてオゾン曝気時間を制御することを特徴とする。
【０００５】
前記制御は、前記循環ポンプの作動により脱色槽内におけるオゾン曝気を開始し、循環ポンプの停止後、循環ポンプの累積作動時間に一定の係数を乗じた時間が経過したらオゾン曝気を停止することができる。
【０００６】
また、前記循環ポンプの累積作動時間が予め設定したリミット値を越えた場合は、そのリミット値を循環ポンプの累積作動時間とみなすことができる。
【０００７】
さらに、前記循環ポンプの作動によりその作動時間をカウントアップし、循環ポンプの停止後、前記係数に相当するオゾン曝気時間経過毎に前記作動時間をカウントダウンして、前記作動時間が０になった時点でオゾン曝気を停止することができる。
【０００８】
【発明の効果】
本発明の循環式水洗トイレによれば、脱色槽で脱色された処理水を水洗便器の洗浄水として循環させる循環ポンプの作動時間に基づいてオゾン曝気時間を制御するため、色度計やオゾンガス濃度測定装置等の高価な計測機器が不要となり、また、水洗トイレが長時間使用されない時にオゾン曝気されることもなく、処理水を低コストで効率的に脱色処理できる効果がある。
【０００９】
前記制御を、前記循環ポンプの作動によりオゾン曝気を開始し、循環ポンプの停止後、循環ポンプの累積作動時間に一定の係数を乗じた時間が経過したらオゾン曝気を停止するようにすれば、脱色槽に新たに流入する処理水の量に見合った最適なオゾン曝気が行える。
【００１０】
また、前記循環ポンプの累積作動時間が予め設定したリミット値を越えた場合は、そのリミット値を循環ポンプの累積作動時間とみなすようにすれば、リミット値を脱色槽の容量に基づいて設定することにより、過剰なオゾン曝気が防止され、無駄がなくなる。
【００１１】
さらに、前記循環ポンプの作動によりその作動時間をカウントアップし、循環ポンプの停止後、前記係数に相当するオゾン曝気時間経過毎に前記作動時間をカウントダウンして、前記作動時間が０になった時点でオゾン曝気を停止するようにすれば、循環ポンプ停止後におけるオゾン曝気処理中に循環ポンプが再作動した場合でも、循環ポンプの作動時間が確実に累積されるため、オゾン曝気が不十分になることがない。
【００１２】
【発明の実施の形態】
本発明の実施形態について添付図面を参照して説明する。図１は本発明を適用した循環式水洗トイレ１の概略のブロック図である。水洗便器３からの汚水は、微生物やバクテリヤを用いた曝気槽４に流入する。曝気槽４で曝気処理された一次処理水は、濾過装置５で濾過されて固液分離され水のみが処理水タンク６に流入する。処理水タンク６と曝気槽４間は、オーバーフロー配管７で連結され、一部の処理水タンク６をオーバーフローした処理水は、曝気槽４に還流する。また、処理水タンク６は、脱色槽８と連結され、該脱色槽８内の処理水は水位が常に一定に保たれるようになっている。上記曝気槽４、濾過装置５及び処理水タンク６で浄化槽が構成されている。
【００１３】
脱色槽８内には、オゾン曝気装置９の散気管１０が配設されている。オゾン曝気装置９は、コントローラ１１、オゾン発生器１２等を備えている。脱色槽８は、洗浄水供給配管１３で水洗便器３の洗浄水タンク２と連結されている。該洗浄水供給配管１３には循環ポンプ１４が介装されている。該循環ポンプ１４は、水洗便器３が使用されて洗浄水タンク２から洗浄水が流出したとき、洗浄水タンク２に脱色槽８でオゾン曝気により脱色された処理水を送給して補充するもので、その作動時間はオゾン曝気装置９のコントローラ１１に入力される。コントローラ１１は、循環ポンプ１４の作動時間に基づいて、所定の曝気制御プログラムを実行し、脱色槽８に新たに流入した処理水に対してオゾン曝気を行い脱色処理する。
【００１４】
図２はコントローラ１１によるオゾン曝気制御を示したフローチャートである。処理がスタートすると、ステップＳ１０で循環ポンプ１４が作動しているか否かを判定する。循環ポンプ１４が作動していれば、ステップＳ１５でオゾンを散気管１０から吹出して脱色槽８内の処理水をオゾン曝気により脱色処理する。続いてステップＳ２０で、循環ポンプ作動時間をカウントアップする。該カウントアップは、ステップＳ２５で循環ポンプ１４の停止が判定されるまで、ステップＳ２０〜２５の処理を繰り返し１秒単位で積算される。
【００１５】
ステップＳ２５で循環ポンプ１４の停止が判定されると、ステップＳ３０へ進み、ポンプ作動時間が予め設定されたリミット値（７０秒）を越えたか否かを判定する。越えていればステップＳ３５でそのリミット値をポンプ作動時間とみなす。ポンプ作動時間がリミット値未満であれば、ステップＳ４０へ進み、循環ポンプ１４が再作動されたか否かを判定する。循環ポンプ１４が再作動された場合は、上記ステップＳ２０以下の処理を繰り返す。再作動されなかった場合はステップＳ４５へ進む。このときはステップＳ２０でカウントアップされた時間がポンプ作動時間となる。ステップＳ４５では、循環ポンプ１４の停止後のオゾン曝気時間をカウントアップする。ステップＳ４０〜Ｓ５０の処理を繰り返して１秒単位で加算するオゾン曝気時間のカウントアップは、該ステップＳ５０でオゾン曝気時間が１００秒を越えるまで行われる。
【００１６】
オゾン曝気時間が１００秒を越えるとステップＳ５５へ進む。ステップＳ５５では上記ポンプ作動時間を１秒単位でカウントダウンする。続くステップＳ６０では、ステップＳ４５でカウントアップしたオゾン曝気時間をクリアする。ステップＳ６５では、１秒単位でカウントダウンされたポンプ作動時間が「０」となったか否かを判定する。「０」でなければ、上記ステップＳ４０以下の処理を繰り返す。また、ステップＳ６５でポンプ作動時間が「０」であれば、ステップＳ７０へ進み、オゾン曝気を停止して終了する。
【００１７】
ポンプ作動時間が「０」となるまで、上記ステップＳ４０〜６５の処理を繰り返すことにより、ポンプ作動時間（秒）×１００秒（最大７，０００秒）間オゾン曝気が行われる。また、循環ポンプ１４の停止後におけるオゾン曝気処理中に循環ポンプ１４が再作動されたときのオゾン曝気時間は、（再作動前の循環ポンプ１４の作動時間×１００秒−再作動前に行われた循環ポンプ１４の停止後におけるオゾン曝気時間＋再作動後の循環ポンプ１４の作動時間×１００秒）となる。
【００１８】
上記したように本実施形態の循環式水洗トイレ１は、脱色槽８でオゾン曝気により脱色された処理水を、水洗便器３に洗浄水として循環させる循環ポンプ１４の作動時間に基づいてオゾン曝気時間を制御するから、処理水を低コストで効率的に脱色処理を行うことができる。
【図面の簡単な説明】
【図１】本発明を適用した循環式水洗トイレの概略のブロック図である。
【図２】オゾン曝気制御を示したフローチャートである。
【符号の説明】
１...循環式水洗トイレ
２...洗浄水タンク
３...水洗便器
８...脱色槽
１４...循環ポンプ
【図１】
0003879493.tif 000002
【図２】
0003879493.tif 000003